(57)【特許請求の範囲】
【請求項１】
用紙収納部を有し、前記用紙収納部に収納された記録紙に印字を行う、並設されている２つのプリンタ部と、
前記記録紙の交換時に前記２つのプリンタ部への前記記録紙の出し入れを妨げない位置であって、前記２つのプリンタ部を各々の表示面の裏面で挟む位置に起立して配置された、店員用および客用の２つの表示部と、
前記２つのプリンタ部との間に前記店員用の表示部を挟む位置に配置されたキーボードと、
を備え、前記２つの表示部の幅はそれぞれ並設した前記２つのプリンタ部の幅以下であって、前記用紙収納部は前記２つの表示部の間で開閉可能な蓋を有する電子機器。
【請求項２】
前記２つのプリンタ部の形状は略直方体であって、前記２つのプリンタ部は横置きされつつ、平面方向に並設されている請求項１記載の電子機器。
【請求項３】
前記２つのプリンタ部の形状は略直方体であって、前記２つのプリンタ部は横置きされつつ、垂直方向に重ねて設けられている請求項１記載の電子機器。
【請求項４】
前記２つのプリンタ部の形状は略直方体であって、前記２つのプリンタ部は縦置きされつつ平面方向に並設されている請求項１記載の電子機器。
【請求項５】
前記２つのプリンタ部は一面側が開放された収納部にそれぞれ収納されている請求項３または４記載の電子機器。
【請求項６】
前記収納部がスライド可能に設けられている請求項５記載の電子機器。
【発明の詳細な説明】
【技術分野】
【０００１】
本発明の実施形態は、電子機器に関する。
【背景技術】
【０００２】
従来、スーパーマーケットや量販店において、商品販売データの処理を行うため、オペレータ用の画面および客用の画面を備えたＰＯＳ（Ｐｏｉｎｔ  Ｏｆ  Ｓａｌｅｓ）端末等の電子機器が用いられている（特許文献１参照）。
【０００３】
従来のＰＯＳ端末は、キーボード、店員用の表示部、客用の表示部、レシートプリンタ、ジャーナルプリンタ等の各構成が平面方向に並ぶように設けられている。
【発明の概要】
【発明が解決しようとする課題】
【０００４】
しかし、上述した従来のＰＯＳ端末では、それぞれの構成が平面方向において並べて配置されているため、平面方向に対して装置が大型化してしまい、平面方向に対する省スペース性に課題がある。また、レシートプリンタおよびジャーナルプリンタに設けられている、連続紙の出し入れを行うための蓋の動作範囲内には店員用の表示部や客用の表示部を設けることができない。そのため、店員用の表示部や客用の表示部は、この動作範囲から所定の間隔を空けて設ける必要があり、平面方向についての省スペース性に問題があった。このＰＯＳ端末の機能を省くことなく、平面方向への省スペース性を向上し、設置に要する面積を極力小さくすることが望まれる。
【課題を解決するための手段】
【０００５】
本実施形態に係る電子機器は、用紙収納部を有し、用紙収納部に収納された記録紙に印字を行う、並設されている２つのプリンタ部と、記録紙の交換時に２つのプリンタ部への記録紙の出し入れを妨げない位置であって、２つのプリンタ部を各々の表示面の裏面で挟む位置に起立して配置された、店員用および客用の２つの表示部と、２つのプリンタ部との間に店員用の表示部を挟む位置に配置されたキーボードと、を備え、２つの表示部の幅はそれぞれ並設した２つのプリンタ部の幅以下であって、用紙収納部は２つの表示部の間で開閉可能な蓋を有する。
【図面の簡単な説明】
【０００６】
【図１】図１は、本実施例に係るＰＯＳ端末を示す前方斜視図である。
【図２】図２は、上記ＰＯＳ端末の後方斜視図である。
【図３】図３は、レシートプリンタおよびジャーナルプリンタの別の配置を示す図である。
【図４】図４は、レシートプリンタおよびジャーナルプリンタの更に別の配置を示す図である。
【図５】図５は、レシートプリンタおよびジャーナルプリンタが水平方向にスライドする様子を示す図である。
【図６】図６は、レシートプリンタおよびジャーナルプリンタの更に別の配置を示す図である。
【発明を実施するための形態】
【０００７】
以下、図１〜６を用いて、本実施形態に係る電子機器としてのＰＯＳ端末について説明する。
【０００８】
図１および図２は、本実施形態に係るＰＯＳ端末の概略的な外観構成を示す前方斜視図および後方斜視図である。
【０００９】
ＰＯＳ端末１は、店舗の会計場所などに設置され、客が購入する商品の登録処理および会計処理を行う電子機器である。図１および図２に示すように、このＰＯＳ端末１は、本体２と、キーボード３と、店員用の表示部４と、客用の表示部５と、レシートプリンタ６と、ジャーナルプリンタ７とを備えて構成されている。
【００１０】
本体２は、その内部に各種情報処理を行う情報処理部（不図示）や、各種情報を記憶する記憶部（不図示）等が設けられている。
【００１１】
本体２の上面側の一端側には、店員が各種操作を行うテンキーなどの各種機能キーを有するキーボード３が設けられている。
【００１２】
本体２の上部であってキーボード３に隣接する位置には、ほぼ同一の略直方体形状をしているレシートプリンタ６とジャーナルプリンタ７とが、それぞれ長手方向をキーボード３側に向けた状態（「横置き」の状態）で、長手方向と直交する方向に密接して並べられている。
【００１３】
レシートプリンタ６は、購入品目やその合計額等を、内部に設けられた用紙収納部（不図示）に収納されている連続紙に印刷してレシートとして発行する。レシートはレシートプリンタ６の上面側に設けられたレシート排出口６１から排出される。レシートプリンタ６の用紙収納部は、通常の使用状態（レシートの印刷が可能な状態）においては開閉可能な蓋６２により閉じられている。
【００１４】
ジャーナルプリンタ７は、ＰＯＳ端末１の本体２内部に設けられている記憶部に記憶されている１日の売上実績等のデータを、内部に設けられた用紙収納部（不図示）に収納されている連続紙に印刷してジャーナルとして発行する。ジャーナルはジャーナルプリンタ７の上面側に設けられたジャーナル排出口７１から排出される。ジャーナルプリンタ７の用紙収納部は、通常の使用状態（ジャーナルの印刷が可能な状態）においては開閉可能な蓋７２により閉じられている。
【００１５】
並設されているレシートプリンタ６とジャーナルプリンタ７のキーボード３側の端部に隣接する位置には、店員に対して処理内容などの各種情報を表示する店員用の表示部４が、本体部から略垂直方向に起立して設けられている。
【００１６】
また、並設されているレシートプリンタ６とジャーナルプリンタ７のキーボード３側とは反対側の端部に隣接する位置には、客に対して請求金額などの各種情報を表示する客用の表示部５が、本体２から略垂直方向に起立して設けられている。
【００１７】
店員用の表示部４と客用の表示部５のそれぞれの幅は、並設されたレシートプリンタ６とジャーナルプリンタ７とを合わせた横幅よりも小さくなっている。そのため、店員用の表示部４と客用の表示部５を設けるために本体２を平面方向に大型化する必要がなく、平面方向においてＰＯＳ端末１を小型化することができる。
【００１８】
また、上述した構成によると、各構成部位を密接して配置しても、店員用の表示部４と客用の表示部５は、レシートプリンタ６の蓋６２およびジャーナルプリンタ７の蓋７２の開閉時の動作範囲に入ることがない。そのため、レシートプリンタ６の蓋６２およびジャーナルプリンタ７の蓋７２の動作範囲、すなわち、連続紙の交換時のレシートプリンタ６とジャーナルプリンタ７の用紙収納部への連続紙の出し入れや、レシートプリンタ６とジャーナルプリンタ７へのメンテナンス作業等に要するスペースを確保しつつ、各構成部位を平面方向において密接して設けることができる。これにより、平面方向についての省スペース性に優れ、設置に要する面積の少ないＰＯＳ端末とすることができる。
【００１９】
なお、上述した実施形態は、例として提示したものであり、発明の範囲を限定することは意図していない。この新規な実施形態は、その他の様々な形態で実施されることが可能であり、発明の要旨を逸脱しない範囲で、種々の省略、置き換え、変更を行うことができる。この実施形態やその変形は、発明の範囲や要旨に含まれるとともに、特許請求の範囲に記載された発明とその均等の範囲に含まれる。
【００２０】
例えば、図３および図４に示すように、レシートプリンタ６とジャーナルプリンタ７を、レシートプリンタ６とジャーナルプリンタ７を、図示せぬスライド機構により水平方向にスライド可能であって、長手方向を水平方向に向けつつ垂直方向に重ねて配置された矩形の収納部６４ａ、７４ａに収納してもよい。
【００２１】
収納部６４ａ、７４ａは上面側が開放されていて、水平方向にスライドさせて内部に収納されたレシートプリンタ６やジャーナルプリンタ７が外部に露出した状態にすると、連続紙の交換時にレシートプリンタ６やジャーナルプリンタ７の蓋６２、７２を開放して連続紙の出し入れ作業を行える他、レシートプリンタ６やジャーナルプリンタ７のメンテナンス作業等を行えるようになっている。図４は、収納部６４ａ、７４ａのうち上段にあるものを水平方向にスライドした状態を示している。
【００２２】
収納部６４ａ、７４ａには、内部に収納されたレシートプリンタ６とジャーナルプリンタ７から発行されたレシートおよびジャーナルを外部に排出するためのレシート排出部６３ａとジャーナル排出部７３ａが設けられている。レシート排出部６３ａとジャーナル排出部７３ａは、ＰＯＳ端末１の一側面側（実施形態においては店員用の表示部４側から見て左側面側）に設けられている。
【００２３】
そして、収納部６４ａ、７４ａの長手方向と直交する向きにある側面側に隣接して、店員用の表示部４と客用の表示部５とが対向して設けられている。この場合、店員用の表示部４と客用の表示部５とは、その横幅がそれぞれ収納部６４ａ、７４ａの長手方向の長さより短かくなっている。
【００２４】
このような構成とすることにより、連続紙の交換時のレシートプリンタ６とジャーナルプリンタ７の用紙収納部への連続紙の出し入れや、レシートプリンタ６とジャーナルプリンタ７へのメンテナンス作業等に要するスペースを確保しつつ、各構成を平面方向において密接して設けることができる。また、平面方向においては収納部６４ａ、７４ａのうち一方のみを設けるためのスペースを確保すればよい。そのため、平面方向の省スペース性に更に優れたＰＯＳ端末とすることができる。
【００２５】
また、図５および図６に示すように、レシートプリンタ６とジャーナルプリンタ７を、図示せぬスライド機構により垂直方向にスライド可能であって、長手方向を垂直方向に向けた状態（「縦置き」の状態）で平面方向に密接して並設された矩形の収納部６４ｂ、７４ｂに収納してもよい。
【００２６】
収納部６４ｂ、７４ｂは正面側が開放されていて、垂直方向にスライドさせて内部に収納されたレシートプリンタ６やジャーナルプリンタ７が外部に露出した状態にすると、連続紙の交換時におけるレシートプリンタ６やジャーナルプリンタ７への連続紙の出し入れや、レシートプリンタ６やジャーナルプリンタ７のメンテナンス作業を行えるようになっている。図６は、収納部６４ｂ、７４ｂのうち、店員用の表示部４側から見て右手にあるものを垂直方向にスライドした状態を示している。
【００２７】
収納部６４ｂ、７４ｂには、内部に収納されたレシートプリンタ６とジャーナルプリンタ７から発行されたレシートおよびジャーナルを外部に排出するためのレシート排出部６３ｂとジャーナル排出部７３ｂが設けられている。レシート排出部６３ｂとジャーナル排出部７３ｂは収納部６４ｂ、７４ｂの上面に設けられている。
【００２８】
そして、収納部６４ｂ、７４ｂの長手方向と直交する向きにある側面側に隣接して、店員用の表示部４と客用の表示部５とが対向して設けられている。この場合、店員用の表示部４と客用の表示部５とは、その横幅がそれぞれ並設された収納部６４ｂ、７４ｂを合わせたものの横幅よりも短い構成とする。
【００２９】
このような構成とすることにより、連続紙の交換時のレシートプリンタ６とジャーナルプリンタ７の用紙収納部への連続紙の出し入れや、レシートプリンタ６とジャーナルプリンタ７へのメンテナンス作業等に要するスペースを確保しつつ、各構成を平面方向において密接して設けることができる。また、略直方体状の収納部６４ａ、７４ａが縦置きされるため、収納部６４ａ、７４ａを横置きする場合と比較し、平面方向においての省スペース性が向上する。そのため、平面方向の省スペース性に更に優れたＰＯＳ端末とすることができる。
【符号の説明】
【００３０】
１  ＰＯＳ端末
２  本体
３  キーボード
４  店員用の表示部
５  客用の表示部
６  レシートプリンタ
６１  レシート排出口
６２  蓋
６３ａ、６３ｂ  レシート排出部
６４ａ、６４ｂ  収納部
７  ジャーナルプリンタ
７１  ジャーナル排出口
７２  蓋
７３ａ、７３ｂ  ジャーナル排出部
７４ａ、７４ｂ  収納部
【先行技術文献】
【特許文献】
【００３１】
【特許文献１】特開２０１１−９６１２６号公報
【図１】
0005386559.tif 000002
【図２】
0005386559.tif 000003
【図３】
0005386559.tif 000004
【図４】
0005386559.tif 000005
【図５】
0005386559.tif 000006
【図６】
0005386559.tif 000007